(57)【要約】【課題】電話交換機に汎用のセンサーを接続してセンサー情報を収集する。【解決手段】電話機（多機能電話機１１８）が接続され電話機用のインターフェースを持つ電話機インターフェースパッケージ１０５を有する電話交換機１００と、電話機インターフェースパッケージ１０５に接続され電話機用のインターフェースを持つセンサー受信機１２０と、センサー受信機１２０に接続されたセンサー１２１と、電話交換機１００に配置された制御装置（中央制御装置１０７）とを有し、センサー受信機１２０は、電話機用のインターフェースを用いて前記センサー１２１から出力されたセンサー情報を受信して電話機インターフェースパッケージ１０５に送信し、電話機インターフェースパッケージ１０５は、電話機用のインターフェースを用いてセンサー情報を制御装置１０７に送信し、制御装置１０７は電話機インターフェースパッケージ１０５から送信されたセンサー情報を処理する。【選択図】図１
2018182649.tif 000002
【特許請求の範囲】
【請求項１】
電話機が接続され、前記電話機用のインターフェースを持つ電話機インターフェースパッケージを有する電話交換機と、
前記電話機インターフェースパッケージに接続され、前記電話機用のインターフェースを持つセンサー受信機と、
前記センサー受信機に接続されたセンサーと、
前記電話交換機に配置された制御装置と、を有し、
前記センサー受信機は、前記電話機用のインターフェースを用いて、前記センサーから出力されたセンサー情報を受信して前記電話機インターフェースパッケージに送信し、
前記電話機インターフェースパッケージは、前記電話機用のインターフェースを用いて、前記センサー情報を前記制御装置に送信し、
前記制御装置は、前記電話機インターフェースパッケージから送信された前記センサー情報を処理することを特徴とする電話交換機システム。
【請求項２】
前記電話機は、
前記電話機用のインターフェースとして所定のチャネルを使用して、音声情報を前記電話機インターフェースパッケージに送信し、
前記センサー受信機は、
前記所定のチャネルを使用して、前記センサー情報を前記電話機インターフェースパッケージに送信することを特徴とする請求項１に記載の電話交換機システム。
【請求項３】
前記所定のチャネルは、ＢチャネルとＤチャネルとを有し
前記電話機は、
前記Ｂチャネルを使用して前記音声情報を前記電話機インターフェースパッケージに送信し、前記Ｄチャネルを使用して制御情報を前記電話機インターフェースパッケージに送信し、
前記センサー受信機は、
前記Ｂチャネルを使用して前記センサーから常時出力される前記センサー情報を前記電話機インターフェースパッケージに送信し、前記Ｄチャネルを使用して前記センサーから間欠的に出力される前記センサー情報を前記電話機インターフェースパッケージに送信することを特徴とする請求項２に記載の電話交換機システム。
【請求項４】
前記電話機インターフェースパッケージは、
前記Ｂチャネルを使用して前記センサーから常時出力される前記センサー情報を前記制御装置に送信し、前記Ｄチャネルを使用して前記センサーから間欠的に出力される前記センサー情報を前記制御装置に送信することを特徴とする請求項３に記載の電話交換機システム。
【請求項５】
前記電話交換機は、
前記センサー受信機の識別番号と、前記センサーの識別番号と、呼出し先の内線番号と、所定のメッセージとを対応させて格納したセンサーテーブルを有し、
前記制御装置は、前記センサーテーブルから前記センサー受信機の識別番号と前記センサーの識別番号に対応した前記内線番号を呼び出して、前記センサー情報の処理結果に基づいた前記メッセージを前記内線番号に送信することを特徴とする請求項１に記載の電話交換機システム。
【請求項６】
制御装置を有する電話交換機の電話機インターフェースパッケージに電話機を接続し、
前記電話機インターフェースパッケージにセンサー受信機を接続し、
前記センサー受信機にセンサーを接続し、
前記電話機インターフェースパッケージと前記センサー受信機に、それぞれ電話機用のインターフェースを持たせ、
前記センサー受信機は、前記電話機用のインターフェースを用いて、前記センサーから出力されたセンサー情報を受信して前記電話機インターフェースパッケージに送信し、
前記電話機インターフェースパッケージは、前記電話機用のインターフェースを用いて、前記センサー情報を前記制御装置に送信し、
前記制御装置は、前記電話機インターフェースパッケージから送信された前記センサー情報を処理することを特徴とする電話交換機システムのデータ収集方法。
【請求項７】
前記電話機は、前記電話機用のインターフェースとして所定のチャネルを使用して、音声情報を前記電話機インターフェースパッケージに送信し、
前記センサー受信機は、前記所定のチャネルを使用して、前記センサー情報を前記電話機インターフェースパッケージに送信することを特徴とする請求項６に記載の電話交換機システムのデータ収集方法。
【請求項８】
前記所定のチャネルは、ＢチャネルとＤチャネルとを有し
前記電話機は、前記Ｂチャネルを使用して前記音声情報を前記電話機インターフェースパッケージに送信し、前記Ｄチャネルを使用して制御情報を前記電話機インターフェースパッケージに送信し、
前記センサー受信機は、前記Ｂチャネルを使用して前記センサーから常時出力される前記センサー情報を前記電話機インターフェースパッケージに送信し、前記Ｄチャネルを使用して前記センサーから間欠的に出力される前記センサー情報を前記電話機インターフェースパッケージに送信し、
前記電話機インターフェースパッケージは、前記Ｂチャネルを使用して前記センサーから常時出力される前記センサー情報を前記制御装置に送信し、前記Ｄチャネルを使用して前記センサーから間欠的に出力される前記センサー情報を前記制御装置に送信することを特徴とする請求項７に記載の電話交換機システムのデータ収集方法。
【請求項９】
前記電話交換機のセンサーテーブルに、前記センサー受信機の識別番号と、前記センサーの識別番号と、呼出し先の内線番号と、所定のメッセージとを対応させて格納し、
前記制御装置は、前記センサーテーブルから前記センサー受信機の識別番号と前記センサーの識別番号に対応した前記内線番号を呼び出して、前記センサー情報の処理結果に基づいた前記メッセージを前記内線番号に送信することを特徴とする請求項６に記載の電話交換機システムのデータ収集方法。
【発明の詳細な説明】
【技術分野】
【０００１】
本発明は、電話交換機システム及び電話交換機システムのデータ収集方法に関する。
【背景技術】
【０００２】
近年、電話交換機にセンサーを接続して、センサーから出力されたセンサー情報を電話交換機で処理する電話交換機システムが存在する。
【０００３】
例えば、特許文献１には、電話交換機に防犯用の火災センサー等を接続し、火災センサーが感応した際に、電話交換機がスピーカ等により警報を発する防犯システムが開示されている。
【先行技術文献】
【特許文献】
【０００４】
【特許文献１】特開２００４−２１５０４７号公報
【発明の概要】
【発明が解決しようとする課題】
【０００５】
ところで、既存の電話交換機におけるセンサーの活用は、主にＬＡＮ（Ｌｏｃａｌ  Ａｒｅａ  Ｎｅｔｗｏｒｋ）のインターフェースを電話交換機に接続して各種センサーと情報のやりとりを行う方法や、センサー自体を直接電話交換機に接続して専用のインターフェースパッケージやアナログ回線インターフェースパッケージにセンサーを接続する方法がある。
【０００６】
ＬＡＮのインターフェースを電話交換機に接続して各種センサーと情報のやりとりを行う方法は、電話交換機の設備とは別にＬＡＮの配線やハブ等の設備が必要であるため導入コストが高くなる。
【０００７】
一方、センサー自体を直接電話交換機に接続して、専用のインターフェースパッケージやアナログ回線インターフェースパッケージにセンサーを接続する方法は、センサーとの情報のやりとりはアナログインターフェースであり、オン、オフといったアナログの２値程度をやりとりするものである。このため、センサー側にも、アナログインターフェースを持たせる必要があり汎用のセンサーを使用することができない。
【０００８】
特許文献１は、アナログ回線を介して静電容量等のアナログ値を用いているため、アナログ電話のオンフック、オフフックと同様のオン、オフの２値程度の情報のやりとりしかできない。よって、センサー側に、電話交換機のアナログインターフェースパッケージと同じアナログインターフェースパッケージを備える必要がある。このため、電話交換機に汎用のセンサーを接続してセンサーの情報を収集することは困難である。
【０００９】
本発明の目的は、電話交換機に汎用のセンサーを接続してセンサー情報を収集することにある。
【課題を解決するための手段】
【００１０】
本発明の一態様の電話交換機システムは、電話機が接続され、前記電話機用のインターフェースを持つ電話機インターフェースパッケージを有する電話交換機と、前記電話機インターフェースパッケージに接続され、前記電話機用のインターフェースを持つセンサー受信機と、前記センサー受信機に接続されたセンサーと、前記電話交換機に配置された制御装置と、を有し、前記センサー受信機は、前記電話機用のインターフェースを用いて、前記センサーから出力されたセンサー情報を受信して前記電話機インターフェースパッケージに送信し、前記電話機インターフェースパッケージは、前記電話機用のインターフェースを用いて、前記センサー情報を前記制御装置に送信し、前記制御装置は、前記電話機インターフェースパッケージから送信された前記センサー情報を処理することを特徴とする。
【００１１】
本発明の一態様の電話交換機システムのデータ収集方法は、制御装置を有する電話交換機の電話機インターフェースパッケージに電話機を接続し、前記電話機インターフェースパッケージにセンサー受信機を接続し、前記センサー受信機にセンサーを接続し、
前記電話機インターフェースパッケージと前記センサー受信機に、それぞれ電話機用のインターフェースを持たせ、前記センサー受信機は、前記電話機用のインターフェースを用いて、前記センサーから出力されたセンサー情報を受信して前記電話機インターフェースパッケージに送信し、前記電話機インターフェースパッケージは、前記電話機用のインターフェースを用いて、前記センサー情報を前記制御装置に送信し、前記制御装置は、前記電話機インターフェースパッケージから送信された前記センサー情報を処理することを特徴とする。
【発明の効果】
【００１２】
本発明の一態様によれば、電話交換機に汎用のセンサーを接続してセンサー情報を収集することができる。
【図面の簡単な説明】
【００１３】
【図１】実施例の電話機交換システムを示す図である。
【図２】多機能電話機ＩＦパッケージと多機能電話機との間の通信方式を示す図である。
【図３】センサー受信機と多機能電話機ＩＦパッケージとの間の通信方式を示す図である。
【図４】センサー用Ｄチャネル（Ｄｃｈ）の内容例を示す図である。
【図５】センサー用Ｂチャネル（Ｂｃｈ）の内容例を示す図である。
【図６】Ｄチャネルのリンクアクセスのためのフレーム送受信の手順を示すシーケンス図である。
【図７】センサー受信機のブロック構成を示す図である。
【図８】Ｄチャネル（Ｄｃｈ）を使用したデータ送受信の手順を示すフローチャートである。
【図９】おむつセンサーテーブルの内容を示す図である。
【図１０】小排泄時設定テーブルの内容を示す図である。
【図１１】Ｂチャネル（Ｂｃｈ）を使用したデータ送受信の手順を示すフローチャートである。
【図１２】温度センサーテーブルの内容を示す図である。
【図１３】温度センサー管理テーブルの内容を示す図である。
【発明を実施するための形態】
【００１４】
以下、図面を用いて実施例について説明する。
【００１５】
図１を参照して、実施例の電話機交換システムについて説明する。ここでは、特老施設に設置される電話機交換システムを例に取って説明する。
【００１６】
図１に示すように、電話交換機システムの電話交換機（構内交換機：ＰＢＸ）１００は、ナースコールインターフェースパッケージ（ナースコールＩＦパッケージ）１０１、インターホンインターフェースパッケージ（インターホンＩＦパッケージ）１０２、構内ＰＨＳ親機インターフェースパッケージ（構内ＰＨＳ親機ＩＦパッケージ）１０３、多機能電話機インターフェースパッケージ（多機能電話機ＩＦパッケージ）１０４、１０５、センサーテーブル１０６及び中央制御装置（ＣＣＵ）１０７を有する。ここで、多機能電話機ＩＦパッケージ１０４、１０５は、多機能電話機インターフェースを持つ。ここで、多機能電話機とは、電話交換機に接続された電話機のことであり、特に、構内で内線電話を可能にする電話機のことを言う。
【００１７】
ナースコールＩＦパッケージ１０１は、ナースコールシステム１０８に配置されたサーバ１０９に接続されている。サーバ１０９は、マイク／スピーカ付き握りボタン１１０に接続されてナースコールを受け付ける。インターホンＩＦパッケージ１０２は、スタッフコールシステム１１１に配置された埋め込み型インターホン１１２に接続されている。構内ＰＨＳ親機ＩＦパッケージ１０３は、ＢＳアンテナ１１３に接続され、介護スタッフが所有するＰＨＳ１１４を介して通話を行う。多機能電話機ＩＦパッケージ１０４は、事務所１１５に配置された多機能電話機１１６に接続されている。
【００１８】
多機能電話機ＩＦパッケージ１０５は、食堂、休憩場所等の共同施設１１７に設置されている多機能電話機１１８に接続されている。多機能電話機１１８は、マルチ接続が可能な構成（マルチ設定Ａ、マルチ設定Ｂ）を有している。この場合は、多機能電話機１１８のマルチ設定Ｂにセンサー受信機１１９が接続されている。センサー受信機１１９は、多機能電話機ＩＦパッケージ１０５の持つ多機能電話機インターフェースと同じ多機能電話機インターフェースを持っている。ここで、多機能電話機１１８は、マルチ接続が可能な構成を有しているので、設定に応じてセンサー受信機１１９からのセンサー情報の受信と通常の通話が可能になる。
【００１９】
また、多機能電話機ＩＦパッケージ１０５には、センサー受信機１２０が直接接続されている。センサー受信機１２０は、多機能電話機ＩＦパッケージ１０５の持つ多機能電話機インターフェースと同じ多機能電話機インターフェースを持っている。センサー受信機１２０には、センサー１２１が接続されている。センサー１２１は、入居者の部屋１２２に設置されたおむつセンサー、体温センサー、画像センサー、音声センサー等である。
【００２０】
センサー受信機１２０は、汎用インターフェースを介して、センサー１２１が出力したセンサーデータ（センサー情報）を受信する。ここで、汎用インターフェースとしては、有線ならばＬＡＮ、ＵＳＢ（Ｕｎｉｖｅｒｓａｌ  Ｓｅｒｉａｌ  Ｂｕｓ）等が使用され、無線ならばＷｉｆｉ（登録商標）、Ｂｌｕｅｔｏｏｔｈ（登録商標）等が使用される。
【００２１】
センサーテーブル１０６は、センサー１２１に関する情報を格納するためのテーブルであり、中央制御装置１０７との間でセンサー１２１に関する情報をやりとりする。
【００２２】
中央制御装置１０７は、センサー受信機１２０からのセンサーデータ（センサー情報）、あるいは、多機能電話機１１８からのセンサーデータ（センサー情報）を、多機能電話機ＩＦパッケージ１０５を介して収集して処理する。中央制御装置１０７は、センサーデータの処理結果に基づいて、ナースコールＩＦパッケージ１０１、インターホンＩＦパッケージ１０２、構内ＰＨＳ親機ＩＦパッケージ１０３、多機能電話機ＩＦパッケージ１０４、多機能電話機ＩＦパッケージ１０５に対して呼出処理又はメッセージ送出の処理を行う。
【００２３】
具体的には、中央制御装置１０７は、本体ソフトのプログラムにより、センサー情報の解析やセンサー情報の統計を行う。中央制御装置１０７は、センサー情報の解析結果とセンサーテーブル１０６に格納している情報により、ナースコールＩＦパッケージ１０１、インターホンＩＦパッケージ１０２、構内ＰＨＳ親機ＩＦパッケージ１０３、多機能電話機ＩＦパッケージ１０４を特定して呼出やメッセージ送出等の処理を行う。尚、中央制御装置１０７は、ＬＡＮを介して外部のサーバ１２３あるいはクラウド１２４に接続して、上記解析等をサーバ１２３やクラウド１２４で行うようにしても良い。
【００２４】
次に、実施例の通信方式について説明する。  
通信方式に関しては、多機能電話機１１６、１１８のインターフェースとして最低限必要な機能として、通常の発着呼、ボタン制御や、ＬＣＤ制御、電話帳制御等のデータの送受信が可能なインターフェースと、通話を行うための音声通信のインターフェースを使用する。
【００２５】
［多機能電話機ＩＦパッケージ１０４と多機能電話機１１６間の通信方式］
図２を参照して、多機能電話機ＩＦパッケージ１０４と多機能電話機１１６との間の通信方式について説明する。
【００２６】
通常は、多機能電話機１１６は、多機能電話機インターフェースとしてＢチャネルを使用して、音声情報（音声データ（ＰＣＭ：Ｐｕｌｓｅ  Ｃｏｄｅ  Ｍｏｄｕｌａｔｉｏｎ））を多機能電話機インターフェースパッケージ１０４に送信する。また、多機能電話機１１６は、多機能電話機インターフェースとしてＤチャネルを使用して、制御情報（ＬＣＤ等の制御データ）を多機能電話機インターフェースパッケージ１０４に送信する。
【００２７】
多機能電話機ＩＦパッケージ１０４と多機能電話機１１６との間の通信方式は、一般的なピンポン伝送方式である。実装線路はＡＭＩ（Ａｌｔｅｒｎａｔｅ  Ｍａｒｋ  Ｉｎｖｅｒｓｉｏｎ）符号方式を使用している。ＡＭＩ符号方式とは、ディジタル通信に使われる符号化方式の一つで、“１”が発生するごとに正および負の極性符号を交互に送出する方式である。
【００２８】
ここで、ピンポン伝送方式とは、以下のような方式である。  
一般的に、ＩＳＤＮ（Ｉｎｔｅｇｒａｔｅｄ  Ｓｅｒｖｉｃｅ  Ｄｉｇｉｔａｌ  Ｎｅｔｗｏｒｋ）では６４ｋｂｐｓのＢチャネル２本と１６ｋｂｐｓのＤチャネル１本がサポートされているが、これに制御用信号を加えると計１６０ｋｂｐｓの伝送速度が必要となる。電話局と加入者宅間では全二重で双方向に１６０ｋｂｐｓのデータ伝送を行なわなければならないため、１対の銅線上でピンポン伝送と呼ばれる方式を使って通信をしている。この方式では、送信ビットレートを約２倍の３２０ｋｂｐｓに高速化（時間軸圧縮）して半分の時間で送信できるようし、電話局と加入者宅から交互にデータを送っている。正確には、時分割制御伝送方式（ＴＣＭ、Ｔｉｍｅ  Ｃｏｍｐｒｅｓｓ  Ｍｕｌｔｉｐｌｅｘｉｎｇ）という。
【００２９】
図２において、Ｆはスタートビット（フレーム同期）であり、常時“００”である。Ｂ１は、Ｂ１チャネル（６４ｋｂｐｓ）であり、Ｂ１チャネルを介して音声データ（ＰＣＭ）が伝送される。Ｂ２は、Ｂ２チャネル（６４ｋｂｐｓ）であり、Ｂ２チャネルを介して音声データ（ＰＣＭ）が伝送される。ＭＦは、常時“０”である。Ｄは、データ（１６ｋｂｐｓ）あり、例えば、ＬＣＤ等の制御データである。Ｐは、パリティ（偶数）である。
【００３０】
図２に示すような形式で、音声データは、Ｂチャネルを介して２チャネル分（６４ｋｂｐｓ×２）の送受信を行っている。また、ＬＣＤ等の制御データは、１６ｋｂｐｓの送受信を行っている。
【００３１】
尚、多機能電話機ＩＦパッケージ１０５と多機能電話機１１８との間の通信方式は、多機能電話機１１８がマルチ接続可能な構成（マルチ設定Ａ、マルチ設定Ｂ）を有しているので、通話（音声情報の送受信）に関しては、上記多機能電話機ＩＦパッケージ１０４と多機能電話機１１６との間の通信方式と同様である。一方、多機能電話機１１８がセンサー情報の受信を行う設定となっている場合には、以下に説明するセンサー受信機１２０と多機能電話機ＩＦパッケージ１０５の通信方式と同様の通信方式が用いられる。
【００３２】
［センサー受信機１２０と多機能電話機ＩＦパッケージ１０５の通信方式］
図３を参照して、センサー受信機１２０と多機能電話機ＩＦパッケージ１０５との間の通信方式について説明する。
【００３３】
センサー受信機１２０と多機能電話機ＩＦパッケージ１０５の間は、多機能電話機ＩＦパッケージ１０５のデータ送受信方式を用いて、多機能電話機１１６の音声情報の代わりにセンサー情報を使用してデータの送受信を行う。
【００３４】
センサー受信機１２０は、多機能電話機用インターフェースとしてＢチャネルを使用して、センサー１２１から常時出力されるセンサー情報を多機能電話機ＩＦパッケージ１０５に送信する。また、センサー受信機１２０は、多機能電話機インターフェースとしてＤチャネルを使用して、センサー１２１から間欠的に出力されるセンサー情報を多機能電話機ＩＦパッケージ１０５に送信する。
【００３５】
具体的には、Ｂチャネルを、音声情報の代わりに比較的帯域を必要としリアルタイム性が要求されるセンサー情報（常時発生するセンサー情報）の送受信に使用する。そして、Ｄチャネルを、データ送受信にリアルタイム性がそれほど要求されずデータ量も少ないセンサー情報（間欠的な発生するセンサー情報）の送受信に使用する。
【００３６】
図３において、Ｆはスタートビット（フレーム同期）であり、常時“００”である。Ｂ１は、Ｂ１チャネル（６４ｋｂｐｓ）であり、Ｂ１チャネルを介してセンサーデータ（Ｂｃｈ用）が伝送される。Ｂ２は、Ｂ２チャネル（６４ｋｂｐｓ）であり、Ｂ２チャネルを介してセンサーデータ（Ｂｃｈ用）が伝送される。ＭＦは、常時“０”である。Ｄは、Ｄｃｈ用のセンサーデータ（１６ｋｂｐｓ）である。Ｐは、パリティ（偶数）である。
【００３７】
図３に示すような形式で、センサー１２１から常時出力されるセンサーデータは、Ｂチャネルを介して２チャネル分（６４ｋｂｐｓ×２）の送受信を行う。また、センサー１２１から間欠的に出力されるセンサーデータは、Ｄチャネルを介して１６ｋｂｐｓの送受信を行う。
【００３８】
尚、センサー受信機１１９が接続されている多機能電話機１１８に関しては、センサー情報の受信を行う設定となっている場合には、上記センサー受信機１２０と多機能電話機ＩＦパッケージ１０５の通信方式と同様の通信方式が用いられる。具体的には、多機能電話機１１８は、多機能電話機用のインターフェースとしてＢチャネルを使用して、センサー受信機１１９を介して常時出力されるセンサー情報を多機能電話機ＩＦパッケージ１０５に送信する。また、多機能電話機１１８は、多機能電話機インターフェースとしてＤチャネルを使用して、センサー受信機１１９を介して間欠的に出力されるセンサー情報を多機能電話機ＩＦパッケージ１０５に送信する。
【００３９】
ここで、図４にセンサー用のＤチャネル（Ｄｃｈ）の内容例を示す。  
図４に示すように、センサー用Ｄｃｈの内容は、センサー種別、センサーＩＤ（識別番号）、受信機ＩＤ（識別番号）、優先種別、モード、メッセージＮｏ．、センサーデータである。
【００４０】
また、図５にセンサー用のＢチャネル（Ｂｃｈ）の内容例を示す。  
図５に示すように、センサー用Ｂｃｈの内容は、スタートフレーム、センサー種別、センサーＩＤ（識別番号）、受信機ＩＤ（識別番号）、優先種別、モード、ＢＣＣ、エンドフレーム、センサーデータ（映像、音声、温度等）である。
【００４１】
［多機能電話機ＩＦパッケージ１０４、１０５と中央制御装置１０７間の通信方式］
多機能電話機ＩＦパッケージ１０４と中央制御装置１０７の間の通信方式は、電話交換機１００内の通信方式であり、決まった帯域を遅延なく確実に通信する必要がある。このため、決まった帯域が確実に確保される方式が必要である。
【００４２】
また、制御系の通信は不定期であり通信量も変化するため、リクエスト、アンサー、パケット送信に近い通信方式が採用される。図６に示すように、Ｄチャネルのリンクアクセスのためのフレーム送受信をソフト制御による手順で行う。
【００４３】
図６に示すように、多機能電話機ＩＦパッケージ１０４（Ｌ／Ｔ＃０）から中央制御装置（ＣＣＵ）１０７に対して、リクエスト（ＲＥＱ）が送られる。中央制御装置１０７はＡＮＳ＝１を多機能電話機ＩＦパッケージ１０４に送る。この際、中央制御装置１０７はバッファ空きありでＡＣＫを返送する。
【００４４】
次に、多機能電話機ＩＦパッケージ１０４は、Ｌ／Ｔ制御パケット（ＳＤ）を中央制御装置１０７に送信する。中央制御装置１０７は、正常に受信して受信処理が完了した後に、Ｌ／Ｔ制御パケットＡＣＫ（ＳＤＡＣＫ）、ＡＮＳ＝０を多機能電話機ＩＦパッケージ１０４に送る。
【００４５】
多機能電話機ＩＦパッケージ１０５（Ｌ／Ｔ＃１）は、リクエスト（ＲＥＱ）を中央制御装置１０７に送信する。中央制御装置１０７はバッファ空なしにつきＡＣＫを返送しない。中央制御装置１０７は、ＡＮＳ＝１を多機能電話機ＩＦパッケージ１０５に送る。多機能電話機ＩＦパッケージ１０５は、中央制御装置１０７にＬ／Ｔ制御パケット（ＳＤ）を送信する。中央制御装置１０７は、Ｌ／Ｔ制御パケット（ＳＤ）を正常に受信して受信処理が完了した後に、Ｌ／Ｔ制御パケットＡＣＫ（ＳＤＡＣＫ）、ＡＮＳ＝０を多機能電話機ＩＦパッケージ１０５に送る。
【００４６】
次に、図７を参照して、センサー受信機１１９、１２０のブロック構成について説明する。
【００４７】
マイコン７００はＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）、ＵＳＢ、ＬＡＮ等のセンサー用インターフェース（ＩＦ）、Ｉ／Ｏ、シリアルＩＦ及びバスを有する。センサー用ＩＦには、センサー用ＩＦモジュール７０１が接続されている。ここで、インターフェース（ＩＦ）は、有線ならばＬＡＮ、ＵＳＢ等が使用され、無線ならばＢｌｕｅｔｏｏｔｈ（登録商標）等が使用される。センサー用ＩＦモジュール７０１にはセンサー１２１（図１参照）が接続されている。
【００４８】
Ｉ／Ｏには、接点駆動回路７０２が接続され、接点駆動回路７０２には接点用コネクタ７０３が接続されて接点出力となる。また、Ｉ／Ｏには、レベル（ＬＶＬ）変換回路７０４が接続され、ＬＶＬ変換回路７０４には接点用コネクタ７０５が接続されて接点入力となる。また、Ｉ／Ｏには、マルチ接続切り替えスィッチ（ＳＷ）７０６と、状態や障害を表示するためのＬＥＤ７０７が接続されている。バスには、プログラム格納エリア７０８とワークエリア７０９が接続されている。
【００４９】
シリアルインターフェース（ＩＦ）は、Ｂチャネル（Ｂｃｈ：６４Ｋ）とＤチャネル（Ｄｃｈ：１６Ｋ）を介してピンポン送受信インターフェース（ＩＦ）回路７１０に接続されている。ピンポン送受信ＩＦ回路７１０は、トランス７１１、ノイズフィルタ７１２及びＲＪ１１モジュラーコネクタ７１３に接続されている。ＲＪ１１モジュラーコネクタ７１３は、多機能電話機ＩＦパッケージ（ＤＬＩＮ）１０５に接続されている。また、ノイズフィルタ７１２には、ＲＪ１１モジュラーコネクタ７１４が接続されている。ＲＪ１１モジュラーコネクタ７１４は、多機能電話機１１８にマルチ接続されている。例えば、マルチ設定Ａとマルチ設定Ｂを有する多機能電話機のマルチ設定Ｂに接続されている（図１参照）。
【００５０】
このように、センサー受信機１１９、１２０は、多機能電話機インターフェースパッケージ１０５の多機能電話機インターフェースと同様のインターフェースを持つ。具体的には、シリアルインターフェース（ＩＦ）とピンポン送受信インターフェース（ＩＦ）回路７１０との間を、Ｂチャネル（Ｂｃｈ：６４Ｋｂｐｓ）とＤチャネル（Ｄｃｈ：１６Ｋｂｐｓ）を介して接続することにより、多機能電話機インターフェース７５０（図７の点線で囲った部分）を構成する。この際、センサー受信機１１９、１２０と多機能電話機ＩＦパッケージ１０５の間は、多機能電話機１１６の音声情報の代わりにセンサー情報を使用してデータの送受信を行う。
【００５１】
この際、Ｂチャネル（Ｂｃｈ）を、音声情報の代わりに比較的帯域を必要としリアルタイム性が要求されるセンサー情報（常時発生するセンサー情報）の送受信に使用する。そして、Ｄチャネル（Ｄｃｈ）を、データ送受信にリアルタイム性がそれほど要求されず、データ量も少ないセンサー情報（間欠的な発生するセンサー情報）の送受信に使用する。
【００５２】
次に、図８のフローチャートを参照して、中央制御装置１０７が行うＤチャネル（Ｄｃｈ）を使用したデータ送受信の手順について説明する。
【００５３】
Ｄｃｈはデータ送受信にリアルタイム性がそれほど要求されず、データ量も少ないセンサー情報の送受信に使用する。ここでは、リアルタイム性がそれほど要求されずデータ量も少ないセンサーとして、おむつセンサーと体温センサーを例にとって説明する。
【００５４】
まず、多機能電話機ＩＦパッケージ１０５からデータ（Ｄｃｈ）を受信する（Ｓ８００）。  
次に、Ｄｃｈ対応のセンサー１２１からのメッセージかを判断する（Ｓ８０１）。  
次に、Ｄｃｈ対応のセンサー１２１からのメッセージならば、おむつセンサーかを判断する（Ｓ８０２）。
【００５５】
次に、おむつセンサーならば、センサーＩＤ登録済みかを判断する（Ｓ８０３）。  
次に、おむつセンサーでなければ、体温センサーかを判断する（Ｓ８０４）。  
次に、体温センサーと判断された場合には、体温センサーの処理シーケンスを行う（Ｓ８０５）。  
次に、体温センサーではないと判断された場合には、該当センサー無しのエラー処理を行う（Ｓ８０６）。
【００５６】
次に、Ｓ８１０で、Ｄｃｈ対応のセンサーからのメッセージではないと判断された場合には、センサー以外のパッケージの制御を行う（Ｓ８０７）。
【００５７】
次に、Ｓ８０３でセンサーＩＤ登録済みと判断された場合には、小排泄検出かを判断する（Ｓ８０８）。  
次に、小排泄検出と判断した場合には、小排泄検出処理を行う（Ｓ８０９）。具体的には、該当グループのＰＨＳ、多機能電話機（ＭＦＴ）等の呼出処理、メッセージ送出処理を行う。メッセージは、例えば、「（利用者）小排泄検出」というメッセージである。
【００５８】
次に、Ｓ８０８で小排泄検出ではないと判断した場合には、大排泄検出かを判断する（Ｓ８１０）。  
次に、大排泄検出と判断した場合には、大排泄検出処理を行う（Ｓ８１１）。具体的には、該当グループのＰＨＳ、多機能電話機（ＭＦＴ）等の呼出処理、メッセージ送出処理を行う。メッセージは、例えば、「（利用者）大排泄検出」というメッセージである。
【００５９】
次に、Ｓ８１０で大排泄検出ではない判断した場合には、その他の検出処理を行う（Ｓ８１２）。具体的には、該当グループのＰＨＳ、多機能電話機（ＭＦＴ）等の呼出処理、メッセージ送出処理を行う。メッセージは、センサー１２１からの送出メッセージをそのまま送出する。
【００６０】
次に、Ｓ８０３でセンサーＩＤ登録済みでないと判断した場合には、自動登録種別かどうかを判断する（Ｓ８１３）。  
次に、Ｓ８１３で自動登録種別と判断した場合には、センサーＩＤ登録処理を行う（Ｓ８１４）。  
次に、Ｓ８１３で自動登録種別ではないと判断した場合には、センサーＩＤ未登録エラー処理を行う（Ｓ８１５）。
【００６１】
ここで、中央制御装置１０７は、図９に示すおむつセンサーテーブルを参照してＤｃｈを使用したデータ送受信を行う。Ｄｃｈはデータ送受信にリアルタイム性がそれほど要求されず、データ量も少ないセンサー情報の送受信に使用する。ここでは、リアルタイム性がそれほど要求されずデータ量も少ないセンサーとしておむつセンサーを例にとって説明する。
【００６２】
図９を参照して、おむつセンサーテーブルの内容について説明する。  
おむつセンサーテーブルは、電話交換機１００内のセンサーテーブル１０６に格納されている（図１参照）。図９に示すように、おむつセンサーテーブルは、センサー受信機ＩＤ、センサーＩＤ登録種別、センサーＩＤ、利用者、小排泄時呼出グループ（Ｇ）、大排泄時呼出グループ（Ｇ）がそれぞれ登録されている。例えば、センサー受信機ＩＤ７においては、センサーＩＤ登録種別は自動であり、センサーＩＤはＡＢＣ１００であり、利用者はＡさんであり、小排泄時呼出Ｇは１であり、大排泄時呼出Ｇは１である。
【００６３】
次に、図１０を参照して、小排泄時設定テーブルの内容について説明する。  
小排泄時設定テーブルは、電話交換機１００内のセンサーテーブル１０６に格納されている（図１参照）。図１０に示すように、小排泄時設定テーブルには、呼出Ｇ番号、呼出内線、メッセージが登録されている。例えば、呼出Ｇ番号が１の場合には、呼出内線は２０００、３０００、３００１、３００２、３００３であり、メッセージは「小排泄検出しました」である。
【００６４】
中央制御装置１０７は、図９のおむつセンサーテーブルと図１０の小排泄時設定テーブルを参照して、該当するセンサーＩＤのおむつセンサーが小排泄を検出した場合には、利用者が小排泄したことを小排泄時呼出Ｇに対して呼出内線を介して「小排泄検出しました」というメッセージを送る。
【００６５】
次に、図１１のフローチャートを参照して、中央制御装置１０７が行うＢｃｈを使用したデータ送受信の手順について説明する。Ｂｃｈは音声データの代わりに比較的帯域を必要とし、リアルタイム性が要求されるセンサー情報の送受信に使用する。リアルタイム性が要求されるセンサーとして、温度センサーを例にとって説明する。
【００６６】
まず、多機能電話機ＩＦパッケージ（ＤＬＩＮ）１０５からデータ（Ｂｃｈ）を受信する（Ｓ１１００）。
【００６７】
次に、Ｂｃｈ対応センサーからのメッセージかを判断する（Ｓ１１１０）。  
次に、Ｂｃｈ対応センサーからのメッセージならば、温度センサーかどうかを判断する（Ｓ１１２０）。
【００６８】
次に、温度センサーならば、センサーＩＤ登録済みかを判断する（Ｓ１１３０）。  
次に、温度センサーでなければ、湿度センサーかを判断する（Ｓ１１４０）。
【００６９】
次に、湿度センサーと判断された場合には、湿度センサーの処理シーケンスを行う（Ｓ１１５０）。  
次に、Ｓ１１４０で湿度センサーではないと判断された場合には、該当センサー無しのエラー処理を行う（Ｓ１１６０）。  
次に、Ｓ１１１０で、Ｂｃｈ対応センサーからのメッセージではないと判断された場合には、センサー以外のパッケージの制御を行う（Ｓ１１７０）。
【００７０】
次に、Ｓ１１３０でセンサーＩＤ登録済みと判断された場合には、閾値検出有りかどうかを判断する（Ｓ１１８０）。  
次に、閾値検出有りと判断した場合には、上限検出かどうかを判断する（Ｓ１１９０）。  
次に、上限検出と判断した場合には、上限検出処理を行う（Ｓ１２００）。具体的には、該当グループのＰＨＳ、多機能電話機（ＭＦＴ）等の呼出処理、メッセージ送出処理を行う。メッセージは、例えば、「（設置個所）高温検出」というメッセージである。
【００７１】
次に、上限検出ではないと判断した場合には、下限検出かを判断する（Ｓ１２１０）。
次に、下限検出と判断した場合には、下限検出処理を行う（Ｓ１２２０）。具体的には、該当グループのＰＨＳ、多機能電話機（ＭＦＴ）等の呼出処理、メッセージ送出処理を行う。メッセージは、例えば、「（設置個所）低温検出」というメッセージである。
【００７２】
次に、下限検出でないと判断した場合には、温度測定データを中央制御装置１０７、あるいはサーバ１２３に格納して統計及び解析処理に用いる（Ｓ１２３０）。
【００７３】
次に、Ｓ１１８０で閾値検出有りではない判断した場合には、温度測定データを中央制御装置１０７、あるいはサーバ１２３に格納して統計及び解析処理に用いる（Ｓ１２４０）。
【００７４】
次に、Ｓ１１３０でセンサーＩＤ登録済みでないと判断した場合には、自動登録種別かどうかを判断する（Ｓ１２５０）。  
次に、自動登録種別と判断した場合には、センサーＩＤ登録処理を行う（Ｓ１２６０）。  
次に、自動登録種別ではないと判断した場合には、センサーＩＤ未登録エラー処理を行う（Ｓ１２７０）。
【００７５】
図１２を参照して、温度センサーテーブルの内容について説明する。  
温度センサーテーブルは、電話交換機１００内のセンサーテーブル１０６に格納されている（図１参照）。図１２に示すように、温度センサーテーブルは、センサー受信機ＩＤ、センサーＩＤ登録種別、センサーＩＤ、設置場所、管理Ｇがそれぞれ登録されている。例えば、センサー受信機ＩＤ１においては、センサーＩＤ登録種別は自動であり、センサーＩＤはＤＥＦ１００であり、設置場所はＡ号室であり、管理Ｇは１である。また、センサー受信機ＩＤ３においては、センサーＩＤ登録種別は手動であり、センサーＩＤはＤＥＦ１０２であり、設置場所は事務所であり、管理Ｇは３である。
【００７６】
次に、図１３を参照して、温度センサー管理テーブルの内容について説明する。  
温度センサー管理テーブルは、電話交換機１００内のセンサーテーブル１０６に格納されている（図１参照）。  
図１３に示すように、温度センサー管理テーブルには、管理Ｇ番号、閾値検出の有無、閾値上限、閾値下限、呼出内線、メッセージが登録されている。例えば、呼出Ｇ番号が１の場合には、閾値検出は有りであり、閾値上限は３０であり、閾値下限は１０であり、呼出内線は２０００、３０００、３００１、３００２、３００３であり、メッセージは「室温異常検出」である。
【００７７】
中央制御装置１０７は、図１２の温度センサーテーブルと図１３の温度センサー管理テーブルを参照して、該当するセンサーＩＤの温度センサーが閾値上限あるいは閾値下限を検出した場合には、該当する呼出Ｇに対して「室温異常検出」というメッセージを送る。
【００７８】
このように、実施例では、多機能電話機インターフェースパッケージを用いてセンサー受信機を電話交換機に接続する。この際、多機能電話機のインターフェースを用いるが、データの内容を多機能電話機の内容ではなくセンサー情報の送受信の内容に変換する。また、センサーの情報を電話交換機の中央制御装置で処理するため、電話交換機内の通信方式を用い、多機能電話機インターフェースパッケージと中央制御装置との間でセンサー情報を送受信する。これにより、実施例によれば、既存の電話交換機のハードウェアと配線を使用することにより工事設備費の低減を図ることが可能になる。さらに、電話交換機に汎用のセンサーを接続してセンサー情報を収集することができる。
【符号の説明】
【００７９】
１００  電話交換機
１０１  ナースコールＩＦパッケージ
１０２  インターホンＩＦパッケージ
１０３  構内ＰＨＳ親機ＩＦパッケージ
１０４  多機能電話機ＩＦパッケージ
１０５  多機能電話機ＩＦパッケージ
１０６  センサーテーブル
１０７  中央制御装置
１０８  ナースコールシステム
１０９  サーバ
１１０  マイク／スピーカ付き握りボタン
１１１  スタッフコールシステム
１１２  埋め込み型インターホン
１１６  多機能電話機
１１８  多機能電話機
１１９  センサー受信機
１２０  センサー受信機
１２１  センサー
１２３  サーバ
１２４  クラウド
【図１】
2018182649.tif 000003
【図２】
2018182649.tif 000004
【図３】
2018182649.tif 000005
【図４】
2018182649.tif 000006
【図５】
2018182649.tif 000007
【図６】
2018182649.tif 000008
【図７】
2018182649.tif 000009
【図８】
2018182649.tif 000010
【図９】
2018182649.tif 000011
【図１０】
2018182649.tif 000012
【図１１】
2018182649.tif 000013
【図１２】
2018182649.tif 000014
【図１３】
2018182649.tif 000015